(57)【要約】【課題】前、後面及び側面のパネルは外方に傾斜状態に開くので広い作業場所は不要で、折畳み作業を容易に、効率良く行うことが可能で、またフォークリフトで損傷しない折畳み型物流用コンテナを提供する。【解決手段】架台４の下面に設けたデッキ部２には前後端にフォークガイド体が設けてある。架台４の前後端に設けたパネル支持材にパネル連結材を介して前、後面パネル７、８が回動可能、かつ外方に傾斜可能に設けてあり、各パネル７、８は高さ方向の途中から上部側が外方に折返し可能である。架台４の左、右端に設けた側面パネル支持材に側面パネル連結材を介して側面パネル１０が回動可能に連結してあり、各側面パネル１０はパネル係止片１４がコンテナ支持体１３に係合することで外方に傾斜状態に支持される。【選択図】図１８
2018079969.tif 000002
【特許請求の範囲】
【請求項１】
下面にデッキ部を有する平面略長方形の架台と、高さ方向の途中から上部側が外方に折返し可能な構成からなり、該架台の前、後端に設けたパネル支持材にパネル連結材を介して回動可能、かつ外方に傾斜可能に連結されて架台上に折畳み格納される前、後面パネルと、前記架台の左、右端に設けた側面パネル支持材に側面パネル連結材を介して回動可能に連結され、架台上に折畳み格納される左、右の側面パネルと、該各側面パネルに設けられ、前記架台に設けたコンテナ支持体に係合することにより側面パネルを外方に傾斜状態に支持するパネル支持片とから構成してなる折畳み型物流用コンテナ。
【請求項２】
前記デッキ部には、前側及び後側に位置してフォークガイド体を設けてあることを特徴とする請求項１記載の折畳み型物流用コンテナ。
【請求項３】
前記架台の下面にはフォーク受け板を設けてあることを特徴とする請求項１記載の折畳み型物流用コンテナ。
【発明の詳細な説明】
【技術分野】
【０００１】
本発明は、例えば野菜、穀類等の収穫した農産物を保管し、また収穫した農産物を集荷地や販売にに移送する物通過程で用いて好適な折畳み型物流用コンテナに関する。
【背景技術】
【０００２】
収穫した農産物を集積地、販売地或は加工施設に移送する場合、現在は金網をパネル面に用いて構成することにより軽量化、通気性、強度性を持たせ、また保管性や移送効率を図るために折畳み可能な折畳み型コンテナを用いるようになっている。
【先行技術文献】
【特許文献】
【０００３】
【特許文献１】特開２０１３−２８３７５号公報
【発明の概要】
【発明が解決しようとする課題】
【０００４】
しかし、従来の折畳み型コンテナは、前、後面パネル及び一対の側面パネルが組立てた時の垂直状態から外方に９０°略水平に全開するため、コンテナを展開する場合に広い作業場所が必要であるし、各パネルの重量は約２０ｋｇ以上あるために略水平の全開状態から垂直状態に立ち上げるには強い力が必要であり、女性の作業者には重労働であるし、組立作業に時間が掛かるといった未解決の問題点がある。
【０００５】
本発明は上述した従来技術の未解決の問題点に鑑みなされたもので、
前、後面及び側面の各パネルは傾斜状態に開いて全開しないので広い作業場所を必要としないし、折畳み作業を容易に、かつ効率的に行うことが可能であり、またフォークリフトによるコンテナの損傷を解消できる折畳み型物流用コンテナを提供することを目的とする。
【課題を解決するための手段】
【０００６】
上述した課題を解決するために構成した本発明の手段は、下面にデッキ部を有する平面略長方形の架台と、高さ方向の途中から上部側が外方に折返し可能な構成からなり、該架台の前、後端に設けたパネル支持材にパネル連結材を介して回動可能、かつ外方に傾斜可能に連結されて架台上に折畳み格納される前、後面パネルと、前記架台の左、右端に設けた側面パネル支持材に側面パネル連結材を介して回動可能に連結され、架台上に折畳み格納される左、右の側面パネルと、該各側面パネルに設けられ、前記架台に設けたコンテナ支持体に係合することにより側面パネルを外方に傾斜状態に支持するパネル支持片とからなる。
【０００７】
そして、前記デッキ部には、前側及び後側に位置してフォークガイド材を設けるとよい。
【０００８】
また、前記架台の下面にはフォーク受け板を設けるとよい。
【発明の効果】
【０００９】
本発明は上述の如く構成したから、下記の諸効果を奏する。
（１）前、後面パネルはパネル支持材により、側面パネルはパネル支持片によって外方に所定の傾斜状態に支持し、各パネルが略水平状態に全開しない構成にしたから、コンテナを折畳む作業の負担を軽減できるし、作業効率を図ることができる。
（２）架台のデッキ部に前、後側に位置してフォークガイド体を設けて構成し、フォークリフトのフォークをデッキ部に円滑、かつ確実に差し込むことができるようにしたから、デッキ部を含むコンテナが損傷する事態を防止できる。
（３）架台の下面にフォーク受け板を設けたから、架台の構成部材にフォークの先端が当たってコンテナを損傷させる事態や、コンテナを押動する事態を解消でき、かつ架台に強度性を持たせることができる。
【図面の簡単な説明】
【００１０】
【図１】本発明の実施の形態に係る折畳み型物流用コンテナの正面図である。
【図２】コンテナの右側面図である。
【図３】コンテナの底面図である。
【図４】架台の斜視図である。
【図５】パネル支持材の部分拡大図である。
【図６】フォークガイド体の正面図である。
【図７】フォークガイド体の平面図である。
【図８】フォークガイド体の右側面図である。
【図９】フォークガイド体の使用状態図である。
【図１０】図９の部分拡大図である。
【図１１】組立てたコンテナの全体構成斜視図である。
【図１２】折畳んだコンテナの斜視図である。
【図１３】側面パネル支持材と側面パネル連結材の説明図である。
【図１４】パネル支持片が側面パネルを支える状態の説明図である。
【図１５】パネル支持片の説明図である。
【図１６】前、後面パネルを二つ折りの状態で外方に傾斜させた状態の説明図である。
【図１７】左、右側面パネルを外方に傾斜させた状態の説明図である。
【図１８】前、後面パネル及び左、右側面パネルを傾斜させた全体の斜視図である。
【図１９】コンテナを１０段積みで貨車に積載した説明図である。
【発明を実施するための形態】
【００１１】
以下、本発明の実施の形態を図面に基づき詳述する。図において、１は折畳み型物流用コンテナ、２は該折畳み型物流用コンテナ１（以下、コンテナ１と称する。）を構成する鋼材からなるデッキ部で、該デッキ部２はコ字型チャンネル材を略長方形に組んだ枠体２Ａと、該枠体２Ａの内側に位置して前、後方向に連結した一対の補強材２Ｂ、２Ｂと、枠体２Ａ及び補強材２Ｂ、２Ｂの前、後側下端に固着した平板鋼からなる連結材２Ｃ、２Ｃとから構成してあり、デッキ部２にはフォークリフトで持ち上げるための一対のフォークＦ、Ｆを前方から差し入れるようになっている(図９、図１０)。
【００１２】
３、３は前記前、後の連結材２Ｃ、２Ｃ上に固着した一対のフォークガイド体で、該各フォークガイド体３は図６乃至図８に示すように、鋼板からなる長尺のベース板３Ａと、略逆Ｖ字状の形状からなり、該ベース板３Ａ上に長手方向に沿って固着した３個のガイド材３Ｂ、３Ｂ、３Ｂとから構成してあり、各ガイド材３Ｂの間の隙間は補強材２Ｂとの干渉を避けるためのものである。
【００１３】
このフォークガイド体３は、フォークリフトの一対のフォークＦ、Ｆをデッキ部２内に円滑に差込むことができるように、各フォークＦの先端Ｆ１をガイド材３Ｂの傾斜面がガイドするもので、フォークＦの先端Ｆ１が当って連結材２Ｃを変形させたり、コンテナを押動するといった事態を解消し、作業の効率化とコンテナ１の使用期間の長期化を図るものである。
【００１４】
４はデッキ部２上に固着した長方形の架台を示し、該架台４はチャンネル材からなる左、右一対の枠材４Ａ、４Ａと、該枠材４Ａ、４Ａ間に両端側を固着して列設した複数枚の横フレーム４Ｂ、４Ｂ、・・・とから構成してある。そして、該各横フレーム４Ｂと直交するように下側に左、右一対のフォーク受け板４Ｃ、４Ｃが配設してあり、フォークＦを挿入した時に横フレーム４Ｂ等に当って円滑に挿入出来ない事態を解消し、また架台４を補強するものである。
【００１５】
５、５はＬ型鋼材からなる長尺の前、後パネル支持材で、該各前（後）パネル支持材５は固定部５Ａと、該固定部５Ａから略直角に起立する立上り部５Ｂと、該立上り部５Ｂに形成した多数の連結穴５Ｃ、５Ｃ、・・・とから構成してあり（図５）、架台４の前、後端に固着してある。
他方、６、６は平鋼材により形成した左、右一対の側面パネル支持材で、該各側面パネル支持材６は長尺の基板６Ａと、基板６Ａに形成した多数の連結穴６Ｂ、６Ｂ、・・・とから構成してあり、架台４の左、右端に固着してある。
【００１６】
７、８はコンテナ１を構成する横長の前面パネルと後面パネルの各々を示し、該各パネル７（８）は丸棒鋼を格子状に組んで構成してある。そして、丸棒鋼をコイル状に形成したパネル連結材９を前面パネル７及び後面パネル８から前、後パネル支持材５の連結穴５Ｃにかけて挿通することにより、前、後面パネル７、８は架台４に支持された状態で内方及び外方に回動可能になっている。なお、各図において長尺のパネル連結材９は、作図上の便宜からその両端側を描いて中間部分は省略している。
【００１７】
そして、図１３に示すように、前、後面パネル７、８は外側に傾いてパネル支持材５の立上り部５Ｂ上端に当接することで、外側に約１１°傾斜した状態で支持されるようにしてあり、従来技術のように外側に９０°、即ち略水平状態に全開することがないので、約２０ｋｇはある前、後面パネル７、８の折り畳み作業時の負担を軽減できるし、作業の効率化を図ることができる。
【００１８】
ここで、前面パネル７及び後面パネル８は、高さ方向中間より若干上の位置で下パネル部７Ａ（８Ａ）と上パネル部７Ｂ（８Ｂ）に分割し、コイル状の上下連結材７Ｃ（８Ｃ）で連結して構成してあり、上パネル部７Ｂ（８Ｂ）は矢示イ方向の外方に折返し可能になっている(図１６)。
【００１９】
１０、１０はコンテナ１を構成する左、右一対の側面パネルで、該各側面パネル１０は丸棒鋼を格子状に組んで縦長四角形に形成してある。そして、該各側面パネル１０は、各側面パネル１０の下端側から側面パネル支持材６の連結穴６Ｂにかけてコイル状の側面パネル連結材１１を挿通することで、架台４に対して回動可能に支持されている。なお、各図において長尺の側面パネル連結材１１は、作図上の便宜からその両端側を描いて中間部分は省略している。
【００２０】
１２、１２、・・・は前記下パネル部７Ａ（８Ａ）及び上パネル部７Ｂ（８Ｂ）に夫々２個設けた係止手段としてのロック機構を示す。該各ロック機構１２は下、上パネル部７Ａ、７Ｂ、（８Ａ、８Ｂ）に固着した取付体１２Ａと、該取付体１２Ａに横方向に摺動可能に挿装した係着棒１２Ｂとから構成してあり、該係着棒１２Ｂは側面パネル１０に設けた係合環１２Ｃに挿脱することで、前、後面パネル７、８は左、右側面パネル１０、１０と係脱可能に連結して起立状態になっている。
【００２１】
次に、１３、１３、・・・は各側面パネル１０に対面して架台４の側面に固着した左、右一対のコンテナ支持材を示す。該各コンテナ支持材１３は略Ｕ字型の基体１３Ａの上端側に補強と係合のための係止片１３Ｂを架設して構成してあり、係止片１３Ｂを上側にしてパネル支持材５の立上り部５Ｂより上方に突出する状態で設けてあり、積重した上側のコンテナ１が横振れや落下しないように下側から支えるものである。
【００２２】
１４は側面パネル１０を外方に傾斜した状態に支持するためのパネル支持片を示す。該パネル支持片１４は側面パネル１０に固着する固定部１４Ａと、該固定部１４Ａから斜め下に伸長するスペース部１４Ｂと、該スペース部１４Ｂから下方に伸長する係止部１４Ｃとからなり（図１５）、側面パネル１０を若干引き上げて外方に約２０°傾けて下すことにより、係止部１４Ｃがコンテナ支持材１３の係止片１３Ｂに係合し（図１４）、側面パネル１０は外方に約２０°傾斜した状態でコンテナ支持材１３に支持される（図１７）。
【００２３】
前、後面パネル７、８及び各側面パネル１０は、多数本の棒鋼を格子状に組んで構成してあるが、棒鋼の本数を調整することでコンテナ１を軽量化してある。また、前、後面パネル７、８及び側面パネル１０も軽量であるから折畳み及び組み立て作業を容易に速やかに行うことができる。しかも、通気性に優れているから、収穫物を鮮度良く保存するのに好適である。
【００２４】
本実施の形態に係るコンテナ１は上述の構成からなり、デッキ部２にフォークガイド体３を設けてフォークリフトのフオークＦをデッキ部２内にガイドするようにしたから、デッキ部２に対してフォークＦを円滑に作動させることができるし、フォークＦの先端Ｆ１がデッキ部２の構成部材に当って変形させる、或いはコンテナ１を押動する事態を防止できる。
【００２５】
また、架台４の下面にフォーク受け板４Ｃを設けてあるから、フォークＦが架台４の枠材４Ａや横フレーム４Ｂに当って変形させる事態を防止できるし、リフト作業を円滑に行うことができる。
【００２６】
そして、前、後面パネル７、８及び側面パネル１０、１０は、９０°全開しない傾斜状態に開く構成にしたから、コンテナ１を折畳む作業を容易に、速やかに行うことができ、また作業負担を大幅に軽減することができる。
【００２７】
更に、前、後面パネル７、８及び各側面パネル１０は架台４の外形内に収まるサイズに設定し、高さに関してもコンテナ１は折畳んだ状態で約２６０ｍｍの高さに設定してあるので、図１９に示すように貨車用コンテナＣに、従来では不可能であった１０段積みの格納を可能にしてある。
【００２８】
なお、本実施の形態では架台４に別部材のパネル支持材５、６を固着する構成にしたが、架台４とパネル支持材５，６は一体に形成してもよい。
【符号の説明】
【００２９】
１      コンテナ
２      デッキ部
３      フォークガイド体
４      架台
４Ｃ    フォーク受け板
５      パネル支持材
６      側面パネル支持材
７      前面パネル
８      後面パネル
９      パネル連結材
１０    側面パネル
１１    側面パネル連結材
１３    コンテナ支持体
１４    パネル支持片
【図１】
2018079969.tif 000003
【図２】
2018079969.tif 000004
【図３】
2018079969.tif 000005
【図４】
2018079969.tif 000006
【図５】
2018079969.tif 000007
【図６】
2018079969.tif 000008
【図７】
2018079969.tif 000009
【図８】
2018079969.tif 000010
【図９】
2018079969.tif 000011
【図１０】
2018079969.tif 000012
【図１１】
2018079969.tif 000013
【図１２】
2018079969.tif 000014
【図１３】
2018079969.tif 000015
【図１４】
2018079969.tif 000016
【図１５】
2018079969.tif 000017
【図１６】
2018079969.tif 000018
【図１７】
2018079969.tif 000019
【図１８】
2018079969.tif 000020
【図１９】
2018079969.tif 000021